(57)【要約】      （修正有）【課題】化粧品スタンプ構成体の提供。【解決手段】化粧品スタンプ構成体１００は本体部分１０５を含み得、本体部分１０５は、上面１１０を含みうる。上面１１０は、平滑であるかまたは（例えば化粧品スタンプ構成体１００のグリップを改善するために）テクスチャ加工されることができ、化粧品スタンプ構成体１００の具体的特徴を識別するための文字、画像、写真および／または記号を上に含むことができる。【選択図】図１
2019093115.tif 000002
【特許請求の範囲】
【請求項１】
スタンプ要素本体と、
前記スタンプ要素本体の第一側部に取り外し可能に連結または挿入される第一化粧品スタンプ要素と、
前記スタンプ要素本体の第二側部に取り外し可能に連結または挿入される第二化粧品スタンプ要素であって、前記第二側部は前記第一側部と異なり、前記第一側部から離れて提供される、第二化粧品スタンプ要素と、
前記スタンプ要素本体に収容された少なくとも一つの化粧品成分と、
を含む、化粧品スタンプ構成体。
【請求項２】
前記第一側部は前記第二側部の反対側に提供される、請求項１記載の化粧品スタンプ。
【請求項３】
前記スタンプ要素本体は、下部分に回転可能に連結された上部分を含む、請求項１記載の化粧品スタンプ。
【請求項４】
前記第一化粧品スタンプ要素と前記第二化粧品スタンプ要素とはいずれも前記上部分に連結される、請求項３記載の化粧品スタンプ。
【請求項５】
前記上部分は鏡を含む、請求項３記載の化粧品スタンプ。
【請求項６】
前記上部分は、前記下部分上の第二表面と嵌合するように構成された第一表面を含み、前記鏡は前記第一表面の上または近くに位置する、請求項３記載の化粧品スタンプ。
【請求項７】
前記少なくとも１つの化粧品成分は、前記下部分に収容される、請求項３記載の化粧品スタンプ。
【請求項８】
前記少なくとも１つの化粧品成分は、前記下部分から取り外し可能である、請求項７記載の化粧品スタンプ。
【請求項９】
前記上部分は、少なくとも１つの連結構成体を用いて前記下部分に回転可能に連結される、請求項３記載の化粧品スタンプ。
【請求項１０】
前記上部分は、前記スタンプ要素本体が閉位置にあるときに前記上部分を前記下部分にロックするように構成された少なくとも１つのロック機構を含む、請求項３記載の化粧品スタンプ。
【請求項１１】
前記下部分内にあり、前記少なくとも１つの化粧品成分を収容する化粧品ホルダをさらに含む、請求項３記載の化粧品スタンプ。
【請求項１２】
前記第一化粧品スタンプ要素と前記第二化粧品スタンプ要素とは、締まり嵌めを用いて前記スタンプ要素本体に取り外し可能に連結される、請求項１記載の化粧品スタンプ。
【請求項１３】
前記第一化粧品スタンプ要素は、人の右の眉のおおよその形状に基づいて輪郭がつけられ、前記第二化粧品スタンプ要素は、人の左の眉のおおよその形状に基づいて輪郭がつけられる、請求項１記載の化粧品スタンプ。
【請求項１４】
前記第一化粧品スタンプ要素および前記第二化粧品スタンプ要素はそれぞれ、
中に開口部を有するハンドルと、
前記開口部内に配置されたアプリケータと、
を含む、請求項１記載の化粧品スタンプ。
【請求項１５】
前記アプリケータは、（ｉ）発泡体、（ｉｉ）ゴム、または（ｉｉｉ）プラスチックのうちの少なくとも１つで構成される、請求項１３記載の化粧品スタンプ。
【請求項１６】
前記化粧品スタンプは眉スタンプである、請求項１記載の化粧品スタンプ。
【請求項１７】
前記スタンプ要素本体は、印刷またはエッチングされた少なくとも１つのロゴまたは少なくとも１つのバナーを含む、請求項１記載の化粧品スタンプ。
【請求項１８】
前記少なくとも１つの化粧品成分は、眉パウダー、マスカラまたはマーカ液のうちの少なくとも１つを含む、請求項１記載の化粧品スタンプ。
【請求項１９】
前記スタンプ要素本体の前記第一側部を前記スタンプ要素本体の前記第二側部から分離する壁セクションをさらに含む、請求項１記載の化粧品スタンプ。
【請求項２０】
前記第一化粧品スタンプ要素および前記第二化粧品スタンプ要素は、前記スタンプ要素本体の前記第一および第二側部にそれぞれ、互いにほぼ反対方向に取り外し可能に連結または挿入される、請求項１記載の化粧品スタンプ。
【請求項２１】
下部分に連結された上部分を有するスタンプ要素本体と、
前記下部分内に提供された少なくとも１つの化粧品成分と、
前記上部分に収容された鏡と、
前記スタンプ要素本体の第一側部で前記上部分に取り外し可能に連結された第一化粧品スタンプ要素と、
前記スタンプ要素本体の第二側部で前記上部分に取り外し可能に連結された第二化粧品スタンプ要素であって、前記第二側部は、前記スタンプ要素本体の前記第一側部の反対側に、前記第一側部から離れて提供される、第二化粧品スタンプ要素と、
を含む、化粧品スタンプ。
【請求項２２】
化粧品スタンプ構成体を製造する方法であって、
前記化粧品スタンプ構成体のスタンプ要素本体の上部分を前記スタンプ要素本体の下部分に連結するステップと、
前記スタンプ要素本体の前記下部分に少なくとも１つの化粧品成分を挿入するステップと、
第一化粧品スタンプ要素を前記上部分の第一側部に挿入するステップと、
第二化粧品スタンプ要素を前記上部分の第二側部に挿入するステップと、
を含み、
前記第一側部は、前記スタンプ要素本体に対して前記第二側部の反対側にあり、前記第二側部から離れている、
方法。
【請求項２３】
化粧品スタンプ構成体を使用して少なくとも１つの化粧品成分を施す方法であって、
スタンプ要素本体の第一側部から前記化粧品スタンプ構成体の第一化粧品スタンプ要素を取り外すことを指示するステップと、
前記スタンプ要素本体の第二側部から前記化粧品スタンプ構成体の第二化粧品スタンプ要素を取り外すことを指示するステップであって、前記第一側部は、前記スタンプ要素本体に対して前記第二側部の反対側にあり、前記第二側部から離れている、ステップと、
前記少なくとも一つの化粧品成分を露出するために前記スタンプ要素本体を開くことを指示するステップと、
前記第一スタンプ要素または前記第二スタンプ要素のうちの少なくとも１つを前記少なくとも１つの化粧品成分中に提供することを指示するステップと、
前記つけられた第一スタンプ要素または前記つけられた第二スタンプ要素のうちの前記少なくとも１つを使用して、前記少なくとも１つの化粧品成分を施すことを指示するステップと、
を含む、方法。
【発明の詳細な説明】
【技術分野】
【０００１】
本発明は、一般に化粧品に関し、特に、例示的な化粧品スタンプ構成体およびその使用方法の例示的実施形態に関する。
【背景技術】
【０００２】
化粧品スタンプは通常、例えば化粧眉、化粧唇、または化粧口髭のスタンプ等の多様な化粧用途で消費者により使用されうる。化粧品スタンプを施す際には、使用者は通常、特定のデザインを有するスタンプと、スタンプにインクを施すためのスタンプアプリケーションペンと、スタンプを保持するための容器とを購入しうる。これらのデバイスは別々に販売され得、別々の容器で提供されうる。スタンプを施すために、使用者は通常、スタンプアプリケーションペンを使用して化粧品スタンプのフェースにインクを施す複雑なプロセスを行う。
【０００３】
化粧品スタンプの使用および着用後、化粧品スタンプは通常複雑なクリーニング手順を用いてクリーニングされる。例えば眉スタンプは、そのベースから取り外され、石鹸と水でクリーニングされねばならないであろう。眉スタンプをクリーニングするために眉ブラシが提供されうる。その後、眉スタンプがそのベースに再び取り付けられねばならない。さらに、スタンプアプリケーションペンも手入れしなければならない。ペンは、先端が湿った状態に保たれ乾燥しないように、カップまたはホルダ内に先端を下にして保管することが推奨される。加えて、ペン先端が乾燥した場合には、ペンの貯蔵コンパートメントに貯蔵された流体でペンが再び湿るまで先端を下にして保管しなければならない。
【０００４】
したがって、上記の欠点の少なくともいくつかを克服できる化粧品スタンプ構成体を提供することが有益であると考えられる。
【発明の概要】
【課題を解決するための手段】
【０００５】
その目的のために、本開示の例示的な実施形態にしたがって、例えばスタンプ要素本体を含みうる化粧品スタンプ構成体が提供されうる。例示的なスタンプ構成体はまた、スタンプ要素本体の第一側部に取り外し可能に連結または挿入される第一化粧品スタンプ要素と、スタンプ要素本体の第二側部に取り外し可能に連結または挿入される第二化粧品スタンプ要素とを含みうる。第二側部は第一側部と異なり得、第一側部から離れて提供されうる。さらに、スタンプ要素本体内に収容された少なくとも一つの化粧品成分が提供されうる。
【０００６】
例えば、第一側部は第二側部の反対側に提供されうる。スタンプ要素本体は、下部分に回転可能に連結された上部分を含みうる。第一化粧品スタンプ要素および第二化粧品スタンプ要素は、両方とも上部分に連結されうる。上部分は鏡を含むことができ、上部分は下部分上の第二表面と嵌合するように構成された第一表面を含むことができ、鏡は第一表面上またはその近くに位置することができる。化粧品成分（単数または複数）は、下部分に収容されることができ、および／または下部分から取り外し可能とすることができる。上部分は、少なくとも一つの連結構成体を用いて下部分に回転可能に連結されうる。加えてまたは代わりに、上部分は、スタンプ要素本体が閉位置にあるときに上部分を下部分にロックするように構成された少なくとも一つのロック機構を含みうる。加えて、下部分内に置かれ、化粧品成分（単数または複数）を収容する化粧品ホルダが提供されうる。
【０００７】
本開示の別の例示的な実施形態によれば、第一化粧品スタンプ要素および第二化粧品スタンプ要素は、締まり嵌めを用いてスタンプ要素本体に取り外し可能に連結されうる。第一化粧品スタンプ要素は、人の右の眉のおおよその形状に基づいて輪郭がつけられ、第二化粧品スタンプ要素は、人の左の眉のおおよその形状に基づいて輪郭がつけられうる。
【０００８】
本開示のさらに別の例示的な実施形態においては、第一化粧品スタンプ要素および第二化粧品スタンプ要素のそれぞれは、中に開口部を有するハンドルと、開口部内に配置されたアプリケータとを含みうる。アプリケータは、（ｉ）発泡体、（ｉｉ）ゴムおよび／または（ｉｉｉ）プラスチックで構成されうるかまたはこれらを含みうる。化粧品スタンプは、眉スタンプを含みうる。スタンプ要素本体は、その上にプリントまたはエッチングされた少なくとも一つのロゴまたは少なくとも一つのバナーを含みうる。化粧品成分（単数または複数）は、眉パウダー、マスカラおよび／またはマーカ液を含みうる。
【０００９】
本開示のさらなる例示的な実施形態によれば、スタンプ要素本体の第一側部をスタンプ要素本体の第二側部から分離する壁セクションが提供されうる。さらに、第一化粧品スタンプ要素および第二化粧品スタンプ要素は、スタンプ要素本体の第一および第二側部にそれぞれ互いにほぼ反対方向に取り外し可能に連結または挿入されうる。
【００１０】
本開示のなおさらなる例示的な実施形態によれば、下部分に連結された上部分を有するスタンプ要素本体を含む化粧品スタンプ構成体が提供されうる。例示的な化粧品スタンプ構成体は、下部分内に提供された少なくとも一つの化粧品成分、および上部分上に収容された鏡も含みうる。さらに、化粧品スタンプ構成体は、スタンプ要素本体の第一側部で上部分に取り外し可能に連結された第一化粧品スタンプ要素と、スタンプ要素本体の第二側部で上部分に取り外し可能に連結された第二化粧品スタンプ要素とを有しうる。第二側部は、スタンプ要素本体の第一側部の反対側に、第一側部から離れて提供されうる。
【００１１】
本開示の別の例示的な実施形態では、化粧品スタンプ構成体を製造する方法が提供されうる。例えば、スタンプ要素本体の上部分がスタンプ要素本体の下部分に連結されうる。スタンプ要素本体の下部分内に少なくとも一つの化粧品成分が連結されうる。第一化粧品スタンプ要素が、上部分の第一側部に挿入されうる。さらに、第二化粧品スタンプ要素が上部分の第二側部に挿入されうる。第一側部は、スタンプ要素本体に対して第二側部の反対側に、第二側部から離れて提供されうる。
【００１２】
本開示のさらに別の例示的な実施形態によれば、化粧品スタンプ構成体を用いた少なくとも一つの化粧品成分の施用を指示する方法。例示的な方法は、スタンプ要素本体の第一側部から第一化粧品スタンプ要素を取り外すことを指示するステップと、スタンプ要素本体の第二側部から第二化粧品スタンプ要素を取り外すことを指示するステップとを含みうる。第一側部は、スタンプ要素本体に対して第二側部の反対側に、第二側部から離れて提供されうる。この方法は、少なくとも一つの化粧品成分を露出するためにスタンプ要素本体を開くことを指示するステップと、少なくとも一つの化粧品成分中に第一スタンプ要素および／または第二スタンプ要素を提供することを指示するステップと、つけられた第一スタンプ要素および／またはつけられた第二スタンプ要素を用いて少なくとも一つの化粧品成分を施すことを指示するステップも含む。
【００１３】
加えて、このような化粧品スタンプ構成体の使用および組み立てを指示するための例示的な方法が提供されうる。
【００１４】
本開示の例示的な実施形態のこれらおよび他の目的、特徴および利点は、添付の特許請求の範囲とあわせて本開示の例示的な実施形態の以下の詳細な説明を読めば明らかになるであろう。
【００１５】
本開示のさらなる目的、特徴および利点は、本開示の例示の実施形態を示す付属の図面とあわせた以下の詳細な説明から明らかになるであろう。
【図面の簡単な説明】
【００１６】
【図１】本開示の例示的な実施形態による例示的な化粧品スタンプ構成体の等角図の例示的な図である。
【図２】本開示の例示的な実施形態による例示的な化粧品スタンプ構成体の正面図の例示的な図である。
【図３】例示的なスタンプ要素が取り外された、本開示の例示的な実施形態による例示的な化粧品スタンプ構成体の等角図の例示的な図である。
【図４】図５に示される本開示の例示的な実施形態による例示的な化粧品スタンプの例示的なスタンプ要素の例示的な図である。
【図５】本開示の例示的な実施形態による開位置の例示的な化粧品スタンプ構成体の例示的な図である。
【図６】例示的な化粧品スタンプ構成体から分離された状態の、本開示の例示的な実施形態による例示的な化粧品スタンプの上部分の例示的な図である。
【図７】例示的な化粧品スタンプ構成体から分離された状態の、本開示の例示的な実施形態による例示的な化粧品スタンプの下部分の例示的な図である。
【図８】本開示の例示的な実施形態による例示的な化粧品スタンプ装置の下部分用のインサートの例示的な図である。
【図９】本開示の例示的な実施形態による化粧品スタンプ構成体を組み立てるための例示的な方法の例示的な流れ図である。
【図１０】本開示の例示的な実施形態による例示的な化粧品スタンプ構成体を使用して化粧品スタンプ要素を施用するため、および／またはその施用を指示するための例示的な方法の例示的な流れ図である。
【発明を実施するための形態】
【００１７】
図面全体を通して、同じ参照番号および文字は、別段の定めがない限り図示の実施形態の同様の特徴、要素、構成要素または部分を示すために使用される。さらに、ここで本開示が図面を参照して詳細に説明されるが、これは例示の実施形態に関連して行われ、図面および添付の特許請求の範囲に示される特定の実施形態により限定されない。
【００１８】
本開示の例示的な実施形態は、以下の説明および関連する添付の図面を参照してさらに理解されうる。本開示の例示的な実施形態は、様々なタイプの化粧品を人の顔または他の身体部分に施すための化粧品スタンプ構成体に関する。例えば、例示的な化粧品スタンプ構成体を使用して、人の顔に眉パウダー、マーキング流体／ゲルおよび／またはマスカラが施されうる。例示的な実施形態は、眉パウダー、マーキング流体／ゲルおよび／またはマスカラに関して記載されるが、通常の技術を有する当業者であれば、本開示の例示的な実施形態が他の化粧品（例えば頬紅、口紅など）で実施されうることを理解するであろう。
【００１９】
図１は、本開示の例示的な実施形態による例示的な化粧品スタンプ構成体１００の等角図の例示的な図を示す。例えば、化粧品スタンプ構成体１００は本体部分１０５を含み得、本体部分１０５は、例示的な実施形態によれば、以下に説明するように複数のセグメント化された部分を含みうる。本体部分１０５は、例えば上面１１０を含みうる。上面１１０は、平滑であるかまたは（例えば化粧品スタンプ構成体１００のグリップを改善するために）テクスチャ加工されることができ、化粧品スタンプ構成体１００の具体的特徴を識別するための文字、画像、写真および／または記号を上に含むことができる。例えば、上面１１０は、化粧品スタンプ構成体１００の製造者、化粧品スタンプ構成体１００に収容された化粧品の色または濃淡などに関連する識別または商標（単数または複数）を含みうる。加えて、上面１００は、広告、商標、ロゴなどを刻印するために使用されうる。
【００２０】
図２は、本開示の例示的な実施形態による例示的な化粧品スタンプ構成体１００の正面図の例示的な図を示す。例示的な化粧品スタンプ構成体１００は、上部分２２０に取り付けられた下部分２１５を含みうる。上部分２２０は、一つまたは複数のスタンプ要素２０５、２１０を保持または他の方法で維持するように構成された突出部分２２５を含みうる。例えば、スタンプ要素２０５、２１０は、突出部分２２５に（例えば突出部分２２５の側部に）収容されうる。図２に示すように、スタンプ要素２０５、２１０は、化粧品スタンプ構成体１００の互いの反対側に収容される。代わりにまたは加えて、スタンプ要素２０５、２１０は、化粧品スタンプ構成体１００の隣接する側部に収容または他の方法で提供されることもできる（例えばスタンプ要素２０５は突出部分２２５の側部にあってもよく、スタンプ要素２１０は突出部分２２５の後部または前部にあってもよい）。上部分２２０は、スタンプ要素２０５および２１０を突出部分２２５内に案内するために使用できる側部延長部または唇部２３０も含みうる。側部延長部／唇部２３０は、スタンプ要素２０５、２１０を突出部分２２５内に（例えば以下に記載する締まり嵌めを用いて）保持するためにも使用されうる。下部分２１５および上部分２２０のさらなる例示的な詳細は、以下に記載される。
【００２１】
図３は、本開示の例示的な実施形態による例示的な化粧品スタンプ構成体１００の斜視図の例示的な図を示す。ここでは、スタンプ要素２０５、２１０が化粧品スタンプ構成体１００から離れて提供される。例えば、化粧品スタンプ構成体１００は、突出部分２２５の両側に二つの開口部３０５、３１０を含むことができ、これらを用いてスタンプ要素２０５、２１０が保持または収容されることができる。開口部３０５、３１０は、スタンプ要素２０５、２１０を内部に（例えば締まり嵌めを用いて）保持するような寸法にされうる。これらの（例えば境界面を有する）開口部３０５、３１０は、突出部分２２５がスタンプ要素２０５、２１０を平面に対して様々な角度で（例えば１６０°、１７０°、１８０°、１９０°、２００°、２１０°などを含む、１５０°〜２１０°の範囲内で）保持することを促進しうる。締まり嵌めは、化粧品スタンプ装置１００の使用者が、小さな力を用いてスタンプ要素２０５、２１０を取り外すことができるようなものでありうる。このような例示的な設定では、スタンプ要素２０５、２１０が化粧品スタンプ構成体１００から偶発的に脱落することはないであろう。
【００２２】
図３に示すように、スタンプ要素２０５、２１０は、人の眉の湾曲または形状に基づいて成形されうるが、他の形状も考えられ、本開示の範囲内である。例えば、スタンプ要素２０５は、スタンプ要素２０５が人に面したときに一方向（例えば左方向）に湾曲されることができ、および／またはスタンプ要素２１０は、人に面したときに反対方向（例えば右方向）に湾曲されうる。スタンプ要素２０５、２１０の特定のカーブまたは輪郭は、人の顔への眉パウダーの優れた施用を促進しうる。加えて、本開示の別の例示的な実施形態によれば、開口部３０５、３１０は、スタンプ要素２０５またはスタンプ要素２１０のうちの一つにのみ適合するように成形されうる（例えばスタンプ要素２０５は開口部３０５、３１０の一方の開口部にのみ適合し、スタンプ要素２１０は他方の開口部にのみ適合しうる）。
【００２３】
本開示のさらなる例示的実施形態では、開口部３０５、３１０を互いに分離するために壁２５０が提供され得、その結果スタンプ要素２０５が開口部３０５内に提供され、スタンプ要素２１０が開口部３１０に挿入されてもスタンプ要素２１０から分離されうるようにすることができる。このような例示的な壁２５０は、スタンプ要素２０５、２１０を部分的におよび／または完全に互いから分離するためにプラスチック材料で作られうる。壁は、内部に化粧品組成物を保持する材料も含むことができ、その結果スタンプ要素２０５、２１０がそのような材料に押し込まれてスタンプ要素２０５、２１０上に追加の化粧品組成物が得られる。
【００２４】
図４は、本開示の例示的な実施形態による例示的な化粧品スタンプ構成体１００の例示的なスタンプ要素４００の例示的な図を示す。スタンプ要素４００は、ホルダ４１０と、ホルダ４１０に収容された（例えばホルダ４１０内に嵌合する）取り外し可能なアプリケータ４０５とを含みうる。アプリケータ４０５は、人の顔に施されるべき化粧品スタンプ構成体１００に収容された化粧品を保持するために、吸収性材料（例えば発泡体、ゴム、プラスチック、または任意の他の適切な吸収性材料）を含み得、および／または吸収性材料で構成されうる。例示的なスタンプ要素４００は、人の特定の眉（例えば左眉または右眉）の輪郭またはカーブと一致する特定の輪郭またはカーブを含みうる。あるいは、スタンプ要素は、いずれの眉にも使用できるように、より一般的な輪郭またはカーブを有してもよい。スタンプ要素４００は、使用者がアプリケータ４０５に偶然に触れずに、および／または使用者の指に化粧品組成物（例えばパウダー、マスカラ、マーカなど）をつけずにスタンプ要素４００を保持することを容易にしうる、唇部またはレッジ４１５を含みうる。
【００２５】
図５は、本開示の例示的な実施形態による開位置にある例示的な化粧品スタンプ構成体１００の例示的な図を示す。図５に示すように、例示的な化粧品スタンプ構成体１００は、化粧品スタンプ構成体１００の下部分５１０に回転可能に連結された上部分５０５を含みうる。上部分５０５は、使用者が例示的な化粧品組成物を施す際に使用者が例えば自分の顔を見る／観察することを容易にする、内部に収容された鏡５１５を含みうる。
【００２６】
本開示の例示的な実施形態により、図６は、別の部分から分離された例示的な化粧品スタンプ構成体１００の上部分５０５の例示的な図を示し、図７は、同様に別の部分から分離された例示的な化粧品スタンプ構成体１００の下部分５１０の例示的な図を示す。上部分５０５は、例えば、第一開口部７０５内に嵌合するように構成されうる第一コネクタ６０５を含みうる。例えば、第一コネクタ６０５は、内部を通るボア６１０を含みうる。ピン６２０が、ボア６１０内に摺動または嵌合されうる。ピン６２０は、例えば付属のバネを有するなど一時的に圧縮可能とすることができ、このような圧縮時に、第一コネクタ６０５がピン６２０を使用して第一開口部７０５に連結されうる。この例示的な手順／設定により、上部分５０５を回転させることにより化粧品スタンプ構成体１００を開位置にできるように上部分５０５が下部分５１０に回転可能に連結されることが容易になりうる。
【００２７】
図６および７に示すように、上部分５０５は、下部分５１０の第二開口部７１０に連結、挿入および／またはクリップされうる第二コネクタ６１５を含みうる。化粧品スタンプ構成体１００が閉位置にあるときには、第二コネクタ、クリップまたはロック６１５が第二開口部７１０に接続および／または連結し得、これにより上部分５０５が下部分５１０に固定されうる。化粧品スタンプ構成体１００を開くためには、使用者が、第二コネクタ６１５を外し、上部分５０５を下部分５１０に対して上方に離れるように回転させうる。
【００２８】
下部分５１０は、化粧品スタンプ構成体１００内に化粧品組成物（例えば眉パウダー、マスカラ、マーカ液など）を保持するために使用できるホルダ７１５も含みうる。例えば、図８に示すように、化粧品組成物８１０が容器、スポンジまたは他の流体維持装置８０５上に提供されることができ、このような容器／スポンジ／装置８０５（ならびにパウダー、マスカラ、流体など８１０）がホルダ７１５内に保持または他の方法で維持されうる。特に、容器、スポンジ、装置８０５は、化粧品スタンプ構成体１００の下部分５１０のホルダ７１５内に配置または設置されうる。容器８０５は、化粧品組成物８１０を使い切った時に使用者が化粧品８１０を取り替えられるように、ホルダ７１５から取り外し可能でありうる。容器／スポンジ／装置８０５は、使用者が一つの化粧品スタンプのみを使用しながら複数色の化粧品を使用できるようにしておくことも容易にしうる。代わりにまたは加えて、化粧品組成物８１０はホルダ７１５内に直接置かれ得、取り替え可能でなくてもよい。
【００２９】
図９は、本開示の例示的な実施形態による化粧品スタンプ構成体１００を組み立てるための例示的な方法９００の例示的な流れ図を示す。例えば、手順９０５で、スタンプ要素本体の上部分５０５が化粧品スタンプ構成体１００の下部分５１０に連結されうる。手順９１０で、化粧品組成物８１０が化粧品スタンプ構成体１００の下部分５１０に挿入されうる。手順９１５で、第一化粧品スタンプ要素２０５が上部分５０５の第一側部に挿入され得、手順９２０で、第二化粧品スタンプ要素２１０が上部分５０５の第二側部に挿入されうる。
【００３０】
図１０は、本開示の例示的な実施形態による例示的な化粧品スタンプ構成体１００を使用した化粧品組成物８１０の施用を指示するための例示的な方法１０００の例示的な流れ図を示す。例えば、手順１００５で、第一化粧品スタンプ要素２０５を化粧品スタンプ構成体１００の第一側部から取り外しさせ、手順１０１０で、第二化粧品スタンプ要素２１０を化粧品スタンプ構成体１００の第二側部から取り外しさせるための指示が提供されうる。手順１０１５で、容器、スポンジまたは他の流体維持装置８０５の上または中に提供された化粧品組成物８１０を露出させるために化粧品スタンプ構成体１００のスタンプ要素本体が開けられうるように、指示が提供されうる。手順１０２０で、第一スタンプ要素２０５および／または第二スタンプ要素２１０が化粧品組成物８１０に漬けられうるように指示が提供されうる。手順１０２５で、化粧品組成物８１０を人の顔に施すために漬けられた第一化粧品要素２０５および／または第二化粧品要素２１０が使用されうるように指示が提供されうる。
【００３１】
本明細書に上述した例示的な化粧品スタンプは、一つ以上のスタンプとスタンプ物質（例えば化粧品）とを含むオールインワンキットの提供を含みうるために有利である。他の利点には、使用し易く、化粧品スタンプを手早く失敗せずに施すように構成された製品の提供が含まれる。加えて、化粧品スタンプはクリーニングし易く、取り替え可能なスタンプを有する。さらに、化粧品スタンプは、携帯し易く、使用者が片手で把持することができ、持ち運びし易い。
【００３２】
以上は単に本開示の原理を説明するに過ぎない。記載された実施形態に対する様々な変更および改変は、本明細書の教示を考慮すれば当業者には明らかであろう。したがって、当業者であれば、本明細書に明示的に図示または説明されてはいないが、本開示の原理を具現化し、したがって本開示の精神および範囲内でありうる多数のシステム、装置、および手順を考案できることが理解されよう。通常の技術を有する当業者には理解されるように、種々の異なる例示的な実施形態は、互いに一緒に、ならびに互いに互換的に使用されることができる。加えて、本開示の明細書、図面および特許請求の範囲を含む本開示で使用される特定の用語は、ある場合には同義的に使用されうる。相互に同義でありうる単語は、本明細書において同義的に使用されうるが、このような単語が同義的に使用されないことが意図されうる場合がありうることを理解されたい。さらに、先行技術の知識は本明細書の以上において参照により明示的に組み込まれていない範囲で全体として本明細書に明示的に組み込まれる。参照される全ての刊行物は、参照により全体として本明細書に組み込まれる。
【図１】
2019093115.tif 000003
【図２】
2019093115.tif 000004
【図３】
2019093115.tif 000005
【図４】
2019093115.tif 000006
【図５】
2019093115.tif 000007
【図６】
2019093115.tif 000008
【図７】
2019093115.tif 000009
【図８】
2019093115.tif 000010
【図９】
2019093115.tif 000011
【図１０】
2019093115.tif 000012
【外国語明細書】
2019093115000001.pdf